(57)【要約】【課題】電子機器に取付けられたボタン押動時のストローク管理を行うことのできる電子機器及び電子機器のボタン構造を提供する。【解決手段】ボタン保持部品２に保持したボタン部３の操作で基板５に実装したスイッチ６を押動可能とした電子機器において、前記ボタン部３がスイッチ押動位置を越えて押動されたときに、前記基板５の端面５ａに当接するスイッチストッパ部１５を、前記ボタン部３に備えた。【選択図】図５
2015195091.tif 000002
【特許請求の範囲】
【請求項１】
ボタン保持部品に保持したボタン部の操作で基板に実装したスイッチ部を押動可能とした電子機器において、
前記ボタン部がスイッチ押し部を備え、
前記スイッチ押し部がスイッチ押動位置を越えて押動されたときに、前記基板の端面に当接するスイッチストッパ部を、前記ボタン部に備えた
ことを特徴とする電子機器。
【請求項２】
前記ボタン部の押し込み量が、前記スイッチストッパ部と前記基板との距離で規制されていることを特徴とする請求項１に記載の電子機器。
【請求項３】
前記ボタン部が、先端部にボタン保持部を有するボタンヒンジ部を備え、前記ボタン保持部が嵌合するボタン保持リブを前記ボタン保持部品に配置したことを特徴とする請求項１または２に記載の電子機器。
【請求項４】
前記ボタン保持リブが、水平リブと、外側鉛直リブと、内側鉛直リブとにより構成されていることを特徴とする請求項３に記載の電子機器。
【請求項５】
前記ボタン部を押す方向と平行に基板が配置され、基板端面が前記ボタン保持部に当接することを特徴とする請求項３又は４に記載の電子機器。
【請求項６】
前記基板の端面に対向させて、前記スイッチストッパ部および前記スイッチ押し部を一列に配置し、この列から外れた位置に前記ボタンヒンジ部を備えたことを特徴とする請求項３乃至５の何れか一項に記載の電子機器。
【請求項７】
前記スイッチストッパ部が、前記ボタン部の外周寄りに配置されていることを特徴とする請求項１乃至６の何れか一項に記載の電子機器。
【請求項８】
ボタン保持部品に保持したボタン部の操作で基板に実装したスイッチ部を押動可能とした電子機器のボタン構造において、
前記ボタン部がスイッチ押し部を備え、
前記スイッチ押し部がスイッチ押動位置を越えて押動されたときに、前記基板の端面に当接するスイッチストッパ部を、前記ボタン部に備えた
ことを特徴とする電子機器のボタン構造。
【発明の詳細な説明】
【技術分野】
【０００１】
本発明は、電子機器に取付けられたボタンを操作することで、基板に実装したスイッチを押動可能とした電子機器及び電子機器のボタン構造に関する。
【背景技術】
【０００２】
従来、電子機器に取付けられたボタンを操作することで、基板に実装したスイッチを押動可能とした電子機器及び電子機器のボタン構造が知られている（例えば、特許文献１参照）。このボタン構造は、スイッチを押動する第の１凸部と、下ケースに一体化されたリブに当接する第２の凸部を有し、第１の凸部でスイッチを押動し、その後第２の凸部をリブに当接させる構造となっている。
【先行技術文献】
【特許文献】
【０００３】
【特許文献１】特開２００１−２２２９２６号公報
【発明の概要】
【発明が解決しようとする課題】
【０００４】
しかしながら、特許文献１によると、基板に実装されたスイッチを押すためにボタン操作がなされる際、ボタンの可動量はリブの機械的強度のみで規制され、ボタン押動時のストローク管理が困難であった。
本発明は、上述した事情に鑑みてなされたものであり、電子機器に取付けられたボタン押動時のストローク管理を行うことのできる電子機器及び電子機器のボタン構造を提供することを目的とする。
【課題を解決するための手段】
【０００５】
上記目的を達成するために、本発明は、ボタン保持部品に保持したボタン部の操作で基板に実装したスイッチ部を押動可能とした電子機器において、前記ボタン部がスイッチ押し部を備え、前記スイッチ押し部がスイッチ押動位置を越えて押動されたときに、前記基板の端面に当接するスイッチストッパ部を、前記ボタン部に備えたことを特徴とする電子機器を提供する。
【０００６】
また、本発明は、前記ボタン部の押し込み量が、前記スイッチストッパ部と前記基板との距離で規制されていることを特徴とする。
【０００７】
また、本発明は、前記ボタン部が、先端部にボタン保持部を有するボタンヒンジ部を備え、前記ボタン保持部が嵌合するボタン保持リブを前記ボタン保持部品に配置したことを特徴とする。
【０００８】
また、本発明は、前記ボタン保持リブが、水平リブと、外側鉛直リブと、内側鉛直リブとにより構成されていることを特徴とする。
【０００９】
また、本発明は、前記ボタン部を押す方向と平行に基板が配置され、基板端面が前記ボタン保持部に当接することを特徴とする。
【００１０】
また、本発明は、前記基板の端面に対向させて、前記スイッチストッパ部および前記スイッチ押し部を一列に配置し、この列から外れた位置に前記ボタンヒンジ部を備えたことを特徴とする。
【００１１】
また、本発明は、前記スイッチストッパ部が、前記ボタン部の外周寄りに配置されていることを特徴とする。
【００１２】
また、本発明は、ボタン保持部品に保持したボタン部の操作で基板に実装したスイッチ部を押動可能とした電子機器のボタン構造において、前記ボタン部がスイッチ押し部を備え、前記スイッチ押し部がスイッチ押動位置を越えて押動されたときに、前記基板の端面に当接するスイッチストッパ部を、前記ボタン部に備えたことを特徴とする電子機器のボタン構造を提供する。
【発明の効果】
【００１３】
本発明によれば、ボタン保持部品に保持したボタン部の操作で基板に実装したスイッチ部を押動可能とした電子機器及び電子機器のボタン構造において、前記ボタン部が、スイッチ押動位置を越えて押動したときに、前記基板に当接するスイッチストッパ部を当該ボタン部に備えた。
ボタン部を押しすぎないためのストッパ形状をボタン部に有するため、本発明では、電子機器に取付けられたボタン押動時のストローク管理を行うことのできる電子機器及び電子機器のボタン構造を提供できる。
【図面の簡単な説明】
【００１４】
【図１】本実施の形態にかかる電子機器の分解斜視図である。
【図２】ボタン部がボタン嵌合部に嵌合された状態を示す斜視図である。
【図３】ボタン部の上面図である。
【図４】ボタン部を保持するボタン嵌合部の斜視図である。
【図５】前面ケースに下ケースが取付けられた状態での、ボタン部周辺を拡大した図である。
【図６】図６におけるＥ−Ｅ部分の断面図である。
【図７】ボタン部の略図と基板との接触時前後の状態を示した上面図である。（Ａ）はボタン押し部と接触７の接触前、（Ｂ）は、ボタン押し部と接触部の接触時、（Ｃ）は、ボタン押し部が接触部との接触状態を超えて押動された状態を示す図である。
【図８】ボタン部と基板の接触態様に係る別の実施形態を示した図である。
【発明を実施するための形態】
【００１５】
以下、図面を参照して本発明の実施形態について説明する。
図１は、本実施の形態にかかる電子機器１の外装ケース１Ａを示す。電子機器１は、例えばカーナビゲーション、オーディオ機器などである。この外装ケース１Ａは下ケース（スイッチ保持部品）４と、下ケース４の前面に下ケース４と直交して配置される前面ケース（ボタン保持部品）２とを有する。前面ケース２の側縁、及び底縁には、それぞれ耳片２Ａが設けられ、それぞれの耳片２Ａは、下ケース４の受け部４Ａに整合し、耳片２Ａは受け部４Ａにねじで固定される。前面ケース２と下ケース４は直交する。
前面ケース２の下部にはボタン部３が配置され、このボタン部３の操作により電子機器１が操作される。下ケース４には基板５が配置され、基板５には、上記ボタン部３に対向して、スイッチ６が配置されている。
【００１６】
図２は、前面ケース２の裏からボタン部３を見た斜視図、図３は、ボタン部３の上面図である。図２及び図３に示すように、ボタン部３の表面３ａの中央には正面視略矩形のボタン押し部１１が設けられている。ボタン押し部１１は、ユーザの指等で押される部分である。ボタン部３の裏面３ｂの中央には、略円柱状のスイッチ押し部１３が設けられている。スイッチ押し部１３の左右両側、すなわち、ボタン部３の裏面３ｂの外周よりには、略円柱状のスイッチストッパ部１５（１５ａ、１５ｂ）が設けられている。スイッチ押し部１３とスイッチストッパ部１５（１５ａ、１５ｂ）とは、それぞれの中心位置が略一列に配列し、水平方向に平行に配置されている。
【００１７】
図２に示すように、ボタン部３の裏面３ｂの下部には、ボタンヒンジ部１７（１７ａ、１７ｂ）が備えられている。ボタンヒンジ部１７（１７ａ、１７ｂ）は、ボタン部３の中央よりに設けられたヒンジ支点２１（２１ａ、２１ｂ）を備え、ヒンジ支点２１（２１ａ、２１ｂ）から、各々ボタン部３の外側に延びてコの字型に形成されている。ボタンヒンジ部１７（１７ａ、１７ｂ）の先端部には、ボタン部３を前面ケース２に保持するボタン保持部１９（１９ａ、１９ｂ）が形成されている。ボタン保持部１９（１９ａ、１９ｂ）は、ボタンヒンジ部１７（１７ａ、１７ｂ）に対し直交し、ボタン保持部１９の下部２０（２０ａ、２０ｂ）は側面視略矩形状に形成されている。ボタン保持部１９の上部２２（２２ａ、２２ｂ）は側面視略楕円形状で形成されている。上部２２には、基板対向部２４（２４ａ、２４ｂ）が形成されている。
図３に示すように、ボタン部３の裏面３ｂから基板対向部２４（２４ａ、２４ｂ）までの寸法Ａ、ボタン部３の裏面３ｂからスイッチ押し部端面１３ａまでの寸法Ｂ、ボタン部３の裏面３ｂからスイッチストッパ部端面１６（１６ａ、１６ｂ）までの寸法Ｃは、寸法Ａ＞寸法Ｂ＞寸法Ｃ、となるよう設計されている。
【００１８】
図４は、図２からボタン部３を取り外した状態を、前面ケース２の裏から見た斜視図である。前面ケース２には、ボタン部３のボタン押し部１１（図３参照。）が嵌る開口２Ａと、ボタン部３を保持するボタン嵌合部１０が形成されている。
ボタン嵌合部１０は、開口２Ａを囲うボタン押し部枠体２３と、ボタン保持部リブ２５（２５ａ、２５ｂ）とを備える。
ボタン保持部リブ２５（２５ａ、２５ｂ）は、水平リブ２６（２６ａ、２６ｂ）、外側鉛直リブ２７（２７ａ、２７ｂ）、内側鉛直リブ２８（２８ａ、２８ｂ）を備えている。前面ケース２の下辺部２Ｃと水平リブ２６（２６ａ、２６ｂ）の下面の寸法Ｈは、ボタン保持部１９（１９ａ、１９ｂ）の高さと略一致し、外側鉛直リブ２７（２７ａ、２７ｂ）と内側鉛直リブ２８（２８ａ、２８ｂ）の内法Ｗは、ボタン保持部１９（１９ａ、１９ｂ）の幅と略一致する。したがって、ボタン保持部１９（１９ａ、１９ｂ）は、外側鉛直リブ２７（２７ａ、２７ｂ）と内側鉛直リブ２８（２８ａ、２８ｂ）と水平リブ２６（２６ａ、２６ｂ）の間に位置決めされる。
【００１９】
図５は、図２のボタン部３に基板５を重ねた状態を示す。
基板５の基板端面５ａは、ボタン保持部１９（１９ａ、１９ｂ）の上部２２（２２ａ、２２ｂ）に位置する基板対向部２４（２４ａ、２４ｂ）に押し当てられている。図２に示すように、ボタン保持部１９（１９ａ、１９ｂ）は、水平リブ２６（２６ａ、２６ｂ）、外側鉛直リブ２７（２７ａ、２７ｂ）、内側鉛直リブ２８（２８ａ、２８ｂ）の３部材に嵌合されており、ボタン保持部１９は、図２中で、上下方向、左右方向へ移動しない。また、基板５の基板端面５ａが、ボタン保持部１９（１９ａ、１９ｂ）の基板対向部２４（２４ａ、２４ｂ）に押し当てられることで、ボタン保持部１９は水平方向に拘束され、図２中で、前後方向へ移動しない。
基板５には、スイッチ押し部１３と対向して、スイッチ６が備えられている。スイッチ６は、基板５に設けた凹部（不図示）に配置され、図６に示すように、基板端面５ａよりもボタン側に突出している。
図５に示すように、スイッチ押し部１３と、スイッチストッパ部１５（１５ａ、１５ｂ）と、基板対向部２４（２４ａ、２４ｂ）とは、水平方向に対して平行に備えられており、各々が、基板端面５ａと対向する構成とされている。基板対向部２４ａは対向する基板端面５ａと接触するが、スイッチ押し部端面１３ａは、対向するスイッチ６の接触部７とは接触しない。また、スイッチストッパ部端面１６（１６ａ、１６ｂ）も、対向する基板端面５ａと接触しない構成とされている。
【００２０】
図６は、図５におけるＥ−Ｅ部分の断面図である。
スイッチ６は、基板端面５ａの凹部（不図示）に備えられ、スイッチ６の先端には基板端面５ａよりも突出して接触部７が設けられている。接触部７は、ボタン押し部１１に押されると後退し、スイッチが投入される。ボタン押し部１１により、接触部７が押される際、その押し力ｆ１は基板端面５ａに作用する。
【００２１】
図７は、ボタン部３の略図と基板５との接触時前後の状態を示した上面図である。図７（Ａ）はボタン押し部１１と接触部７の接触前、図７（Ｂ）は、ボタン押し部１１と接触部７の接触時、図７（Ｃ）は、ボタン押し部１１が接触部７との接触状態を越えて押動された状態を示す図である。
図７（Ａ）の状態では、スイッチ押し部端面１３ａと接触部７との距離が、スイッチストッパ部端面１６（１６ａ、１６ｂ）と基板端面５ａとの距離よりも短く構成されている。
図７（Ａ）の状態でボタン押し部１１が手で押されると、図３を参照し、ボタンヒンジ部１７（１７ａ、１７ｂ）が撓んで、ボタン部３がスイッチ側に突出し、図７（Ｂ）で示すように、スイッチ押し部端面１３ａが接触部７に接触する。ここで、スイッチ押し部端面１３ａが接触部７に接触し、接触部７がスイッチ投入位置まで押し込まれた位置を、スイッチ押動位置と定義する。この場合に、スイッチストッパ部端面１６（１６ａ、１６ｂ）と基板端面５ａとは接触しておらず、両者の間には距離Ｘの隔たりがある。この距離Ｘは、スイッチ押し部１３で接触部７を押し過ぎることによるスイッチ６の破損を防止するために設けられ、接触部７の限界ストローク上限値(最も押し込める位置)よりも短い距離に設定されている。
図７（Ｂ）の状態でスイッチ押動位置を超えてボタン押し部１１が押されると、図７（Ｃ）で示すように、スイッチストッパ部端面１６（１６ａ、１６ｂ）と基板端面５ａとが接触する。そのため、スイッチ押し部１３をそれ以上押し込めず、スイッチ押し部１３は図７（Ｃ）の状態で停止する。
なお、ボタン部３のボタン押し部１１から手を放すと、ボタンヒンジ部１７（１７ａ、１７ｂ）が弾発して、ボタンヒンジ部１７（１７ａ、１７ｂ）が図３の形態に戻り、ボタン部３がボタン嵌合部１０（図４参照。）に嵌合する。
【００２２】
以上本実施の形態について説明したが、本実施の形態によれば次の効果を奏する。
すなわち、本実施の形態では、ボタン部３が、スイッチ押動位置を越えて押動したときに、基板端面５ａに当接するスイッチストッパ部１５（１５ａ、１５ｂ）をボタン部３に備えた。
そのため、ボタン押し部１１側からボタン部３を押した際、限界ストローク上限値(最も押し込める位置)以上にボタン部３を押しすぎることがない。ひいては、ボタン部３の過度の押動による部材の損傷等を防止できる。
【００２３】
また、本実施の形態によれば、ボタン部３は、ボタン部３と一体のボタンヒンジ部１７（１７ａ、１７ｂ）先端のボタン保持部１９（１９ａ、１９ｂ）を介して、前面ケース２に保持される。
そのため、ボタン押し部１１側からボタン部３が押された場合、ボタン部３は、スイッチ６の復元力に依存せず、ボタンヒンジ部１７（１７ａ、１７ｂ）の復元力によって元の位置に戻ることができる。
【００２４】
また、本実施の形態によれば、スイッチ押し部１３、スイッチストッパ部１５（１５ａ、１５ｂ）を略一列に配列し、これら各部分と基板端面５ａが対向するように、基板５を、水平方向に対して平行に備えた。
そのため、ボタン押し部１１を手で押した場合、スイッチ押し部１３を介して基板端面５ａに作用する押し力ｆ１と、スイッチストッパ部１５（１５ａ、１５ｂ）を介して基板端面５ａ作用する押し力ｆ２とが正面視略一列に加えられ、押し力ｆ１と押し力ｆ２の間に回転モーメントが発生しない。ひいては、ボタン部３を円滑に操作できる。
【００２５】
また、本実施の形態によれば、ボタン保持部１９（１９ａ、１９ｂ）を前面ケース２に保持する際、水平リブ２６（２６ａ、２６ｂ）、外側鉛直リブ２７（２７ａ、２７ｂ）、内側鉛直リブ２８（２８ａ、２８ｂ）により、ボタン保持部１９（１９ａ、１９ｂ）の上側及び左右両側から保持する。また、基板対向部２４（２４ａ、２４ｂ）側からは、基板端面５ａが接触する構成を備える。
そのため、ボタン保持部１９（１９ａ、１９ｂ）の上下方向、前後方向、左右方向への動作を防止できる。
【００２６】
また、本実施の形態によれば、スイッチストッパ部１５（１５ａ、１５ｂ）をスイッチ押し部１３の左右両側、すなわち、ボタン部３の裏面３ｂの外周よりに設けた。
そのため、ボタン押し部１１側からボタン部３を押すにあたり、必ずしも正面からでなく、斜めから押した場合にも、スイッチストッパ部１５（１５ａ、１５ｂ）によるストッパの役割を提供できる。
【００２７】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００２８】
例えば、本実施の形態では、ボタンヒンジ部１７（１７ａ、１７ｂ）は、ボタン部３の中央よりに設けられたヒンジ支点２１（２１ａ、２１ｂ）から、各々ボタン部３の外側へとコの字型に形成した。もっとも、これに限らず、ヒンジ支点位置及びボタンヒンジ部の形状は、周囲部品との干渉がなければ、ボタンの仕様により適宜に変更が可能である。
【００２９】
また、例えば、本実施の形態では、ボタン部３を保持するため、ボタン保持部１９（１９ａ、１９ｂ）を、水平リブ２６（２６ａ、２６ｂ）、外側鉛直リブ２７（２７ａ、２７ｂ）、内側鉛直リブ２８（２８ａ、２８ｂ）の３部材で保持した。もっとも、ボタン保持部リブは、水平リブ、外側鉛直リブ、内側鉛直リブの組み合わせに限定されず、ボタン保持部の形状等に対応させて、ボタン保持部を左右、上下に位置決めできる形態であればよい。
【００３０】
また、例えば、本実施の形態では、ボタン部３の押し込み量が、スイッチストッパ部１５（１５ａ、１５ｂ）と基板５との距離で規制されている。すなわち、スイッチ押し部端面１３ａとスイッチ６の接触部７との距離が、スイッチストッパ部端面１６（１６ａ、１６ｂ）と基板端面５ａとの距離よりも小さい。この条件を満足すれば、スイッチ６の仕様により、スイッチ押し部端面１３ａと接触部７との距離は、適宜に変更が可能である。
【００３１】
また、例えば、本実施の形態では、スイッチストッパ部１５（１５ａ、１５ｂ）が、基板５の基板端面５ａを押す構成であったが、スイッチストッパ部１５（１５ａ、１５ｂ）が、基板５の表面又は裏面を押す構成としてもよい。
より詳細には、図８に別の実施の形態としてその一例を示す。なお図８では、図６と同一部分には同一符号を付して示し、その説明を省略する。図６の形態では、スイッチ押し部１３を押す方向と平行に基板５が配置されていたが、図８に示すように、スイッチ押し部１３を押す方向と直交させて基板５を配置してもよい。この場合、スイッチ押し部１３の両側にはスイッチストッパ部１５（１５ａ、１５ｂ）が配置されている。この構成では、ボタン部３が、スイッチ押動位置を越えて押動したときに、両側のスイッチストッパ部１５（１５ａ、１５ｂ）が基板５の表面に当接する。そのため、ボタン押し部１１側からボタン部３を押した際、限界ストローク上限以上にボタン部３を押しすぎることがなく、ボタン部３の過度の押動による部材の損傷等を防止できる。
【００３２】
また、例えば、本実施の形態では、スイッチストッパ部１５（１５ａ、１５ｂ）は略円柱状に形成したが、スイッチストッパ部端面１６（１６ａ、１６ｂ）が、相手部材たる基板の側面と無理なく接触できるものであれば、先端１６（１６ａ、１６ｂ）の形状は適宜に変更が可能である。
【００３３】
また、例えば、本実施の形態では、スイッチストッパ部１５（１５ａ、１５ｂ）は、ボタン部３の裏面３ｂのボタン外周よりに２ヶ所設けたが、その数は、周囲部品との干渉がなければ、ボタン部の仕様により適宜に変更が可能である。
【符号の説明】
【００３４】
１  電子機器
１Ａ  外装ケース
２  前面ケース（ボタン保持部品）
３  ボタン部
４  下ケース（スイッチ保持部品）
５  基板
５ａ  基板端面
６  スイッチ
１０  ボタン嵌合部
１１  ボタン押し部
１３  スイッチ押し部
１５（１５ａ、１５ｂ）  スイッチストッパ部
１７（１７ａ、１７ｂ）  ボタンヒンジ部
１９（１９ａ、１９ｂ）  ボタン保持部
２４（２４ａ、２４ｂ）  基板対向部
２５（２５ａ、２５ｂ）  ボタン保持部リブ
２６（２６ａ、２６ｂ）  水平リブ
２７（２７ａ、２７ｂ）  外側鉛直リブ
２８（２８ａ、２８ｂ）  内側鉛直リブ
【図１】
2015195091.tif 000003
【図２】
2015195091.tif 000004
【図３】
2015195091.tif 000005
【図４】
2015195091.tif 000006
【図５】
2015195091.tif 000007
【図６】
2015195091.tif 000008
【図７】
2015195091.tif 000009
【図８】
2015195091.tif 000010